(57)【特許請求の範囲】
【請求項１】
設備の点検日時および点検結果を示す点検データと、前記設備の補修日時を示した補修データとを含む点検履歴データを記憶する記憶部と、
前記点検履歴データを参照して、前記設備の補修の直前の点検結果が所定の補修基準に達している場合、当該補修の直前における当該設備の点検データを故障データとして分析データに採用し、前記設備の補修の直前の点検結果が所定の補修基準に達していない場合、当該補修の直前における当該設備の点検データを未故障データとして分析データに採用する分析データ選択部と、
前記設備の過去の点検結果に基づき、当該補修の直前の点検の後に当該設備に急速劣化が発生したか否かを判定する急速劣化判定部とを備え、
前記分析データ選択部は、
前記設備の補修の直前の点検結果が所定の補修基準に達していないが、前記急速劣化判定部により、当該補修の直前の点検の後に当該設備に急速劣化が発生したと判定された場合、当該設備が当該補修の補修日時に故障したとみなした故障データを分析データに採用し、前記急速劣化判定部により、当該補修の直前の点検の後に当該設備に急速劣化が発生しないと判定された場合、当該補修の直前における当該設備の点検データを未故障データとして分析データに採用すること
を特徴とする分析データ選択装置。
【請求項２】
前記急速劣化判定部が、前記設備の過去の点検結果に基づき、前記設備における急速劣化が発生した部品を特定できる場合、
前記分析データ選択部は、
前記急速劣化判定部により、当該設備の補修の直前の点検の後に急速劣化が発生したと特定された部品が当該補修の補修日時に故障したとみなした故障データを分析データに採用することを特徴とする請求項１に記載の分析データ選択装置。
【請求項３】
前記急速劣化判定部は、
前記設備の過去の点検結果に基づき、前記設備における急速劣化が発生した部品を特定できない場合、所定の確率分布またはランダム値を用いることにより当該設備に急速劣化が発生した部品を特定し、
前記分析データ選択部は、
前記急速劣化判定部により、当該設備の補修の直前の点検の後に急速劣化が発生したと特定された部品が当該補修の補修日時に故障したとみなした故障データを分析データに採用することを特徴とする請求項１に記載の分析データ選択装置。
【請求項４】
前記分析データ選択部により前記分析データとして採用された故障データおよび未故障データを用いて、前記設備の信頼性分析を行う信頼性分析部をさらに備えることを特徴とする請求項１〜請求項３のいずれか１項に記載の分析データ選択装置。
【請求項５】
分析データ選択装置が、設備の点検日時および点検結果を示す点検データと、前記設備の補修日時を示した補修データとを含む点検履歴データを取得するデータ取得ステップと、
前記分析データ選択装置が、前記点検履歴データを参照して、前記設備の補修の直前の点検結果が所定の補修基準に達している場合、当該補修の直前における当該設備の点検データを故障データとして分析データに採用し、前記設備の補修の直前の点検結果が所定の補修基準に達していない場合、当該補修の直前における当該設備の点検データを未故障データとして分析データに採用する分析データ選択ステップと、
前記分析データ選択装置が、前記設備の過去の点検結果に基づき、当該補修の直前の点検の後に当該設備に急速劣化が発生したか否かを判定する判定ステップとを含み、
前記分析データ選択ステップにおいて、
前記分析データ選択装置が、前記設備の補修の直前の点検結果が所定の補修基準に達していないが、前記判定ステップにおいて、当該補修の直前の点検の後に当該設備に急速劣化が発生したと判定した場合、当該設備が当該補修の補修日時に故障したとみなした故障データを分析データに採用し、前記判定ステップにおいて、当該補修の直前の点検の後に当該設備に急速劣化が発生しないと判定した場合、当該補修の直前における当該設備の点検データを未故障データとして分析データに採用すること
を特徴とする分析データ選択方法。
【発明の詳細な説明】
【技術分野】
【０００１】
本発明は、分析データ選択装置および分析データ選択方法に関する。
【背景技術】
【０００２】
設備機器等において所定の機能を維持するために、点検による状態の確認や交換・補修等が行われる。点検によって明らかになった対象設備の劣化・故障等の状態は、点検データとして記録される。特に、頻繁に点検を行う設備や、ある程度長い期間使用される設備の場合、過去の点検データが蓄積されていれば点検データは時系列データとなり、設備の状態の推移が把握できるものとなる。こうしたデータは、寿命判定や信頼性分析のための分析データとして用いられることがある（非特許文献１参照）。
【０００３】
多くの場合、対象設備があらかじめ決められた状態（劣化状態や使用期間等。以下、補修基準と記す）に到達すれば、補修・交換等（以下、補修と記す）が行われる。しかし、実際には何らかの理由で、補修基準より以前の段階で補修が行われることがある。
【０００４】
例えば、ある設備のある場所に発生した補修基準に達した部品１を補修する際に、その周辺にある補修基準に達していない部品２・３・４も同時に補修するような場合である（以下、このようにして行われる補修を機会補修と記す）。この時、点検データが部品ごとに記録されているとすると、補修された部品１・２・３・４ともに、例えば「補修済み」と点検履歴データに記録される。
【先行技術文献】
【非特許文献】
【０００５】
【非特許文献１】中根進、「下水処理場プラント機器の信頼性解析事例‐機器の累積ハザード解析‐」、下水道協会誌論文集43(522)、pp95-102、2006
【発明の概要】
【発明が解決しようとする課題】
【０００６】
例えば、ワイブル分析等による信頼性分析において、上記のような点検履歴データを用いて、設備の部品が補修基準に達する平均時間を算出すると、真の平均時間よりも短い時間が算出されることがある。よって、上記のようにして算出された平均時間を参考にして、部品の点検計画等を策定すると、点検コストが増大するおそれがある。そこで、本発明は、前記した問題を解決し、設備の信頼性分析の精度を向上させることを課題とする。
【課題を解決するための手段】
【０００７】
前記した課題を解決するため、本発明は、設備の点検日時および点検結果を示す点検データと、前記設備の補修日時を示した補修データとを含む点検履歴データを記憶する記憶部と、前記点検履歴データを参照して、前記設備の補修の直前の点検結果が所定の補修基準に達している場合、当該補修の直前における当該設備の点検データを故障データとして分析データに採用し、前記設備の補修の直前の点検結果が所定の補修基準に達していない場合、当該補修の直前における当該設備の点検データを未故障データとして分析データに採用する分析データ選択部と、を備えることを特徴とする。
【発明の効果】
【０００８】
本発明によれば、設備の信頼性分析の精度を向上させることができる。
【図面の簡単な説明】
【０００９】
【図１】図１は、点検履歴データの一例を示す図である。
【図２】図２は、分析データ選択装置の機能ブロック図である。
【図３】図３は、分析データ選択装置が点検履歴データから、信頼性分析の対象とする分析データを選択する手順を示すフローチャートである。
【図４】図４は、点検データ選択プログラムを実行するコンピュータを示す図である。
【発明を実施するための形態】
【００１０】
以下、図面を参照しながら、本発明を実施するための形態（実施形態）について説明する。本発明は、本実施形態に限定されない。
【００１１】
なお、以下の説明において、点検の対象はトンネル等の設備を構成する部品である場合を例に説明する。また、説明の簡潔のため、点検の対象となる部品は設備を構成する多数の同じ部品であるとし、この部品は単一の同じ材料等で構成されているものとする。また、この部品は、設置場所によっては、何らかの理由によって劣化の進行に差が発生することがあるものとする。
【００１２】
ここで、本実施形態の分析データ選択装置１０の扱う点検履歴データについて説明する。点検履歴データは、部品の点検日時および当該点検日時における点検結果（劣化状態）を示す点検データと、当該部品の補修日時を示した補修データとを含む。
【００１３】
図１に、点検履歴データの例を示す。部品の点検は、例えば、ある周期に従って一斉に実施されるものとする。また、部品の劣化状態を示す劣化ランクを、健全な方からＡ、Ｂ、Ｃ、Ｄとする。Ａランクは劣化がないと判断される状態を示し、Ｄランクは劣化が進み速やかに補修を行うべき状態、つまり、補修基準に達している状態であるとする。なお、部品が補修された場合には補修日時と共に補修済みフラグ（補修データ）が記録されるものとする。なお、点検と補修は同時に行われないものとする。
【００１４】
最新点検をm0点検とし、最新点検からi回前の点検をmi点検とする。点検時にＤランクと判定された部品は、その点検後、速やかに（少なくとも次回点検までに）補修がなされ、補修後はＡランクの状態に戻るものとする。よって、Ｄランクが複数回続いて記録されることはないものとする。また、補修されない限り、劣化は必ず悪い状態へと進行するものとし、点検履歴としてランクの逆転（例えば、m1点検でＣランクであったものが、その後のm0点検でＢランクになる）は起こらないものとする。
【００１５】
図１の部品１の点検履歴データは、m0点検結果がＤランクであるが、まだ補修されていない状態を示す。部品２の点検履歴データはm1点検結果がＤランクであり、その後補修され、m0点検すなわち最新点検の際にはＡランクに戻っていることがわかる。一方、部品３の点検履歴データは、m1点検結果が補修基準の手前の状態のＣランクであるが、その後補修済みフラグが記録されており、次のm0点検ではＡランクと記録されている。このような場合、補修時の状態がＣランクであったが機会補修されたのか、あるいはm1点検時から急速に劣化して補修時にはＤランクの状態になっていたのか、点検履歴データからは判断できない。
【００１６】
こうした点検履歴データを用いて、例えば、ワイブル分析により信頼性分析を行う場合について考える。ワイブル分析では、記録されている各部品の点検履歴データから最新点検結果（点検データ）を分析データとして用いることがよく行われる。ただし、後述するように、点検履歴データ上の最新点検結果が分析データとして適切とは限らない場合がある。ワイブル分析において上記の点検データを故障データ（ここではＤランク）および未故障データ（あるいは打切りデータとも言う。ここではＡ〜Ｃランク）に分類して分析データとして採用するものとする。
【００１７】
例えば、ワイブル分析において、図１に示す部品１の点検履歴データの場合はm0点検結果の点検データを、部品２の点検履歴データの場合はm1点検結果の点検データをそれぞれ故障データとして分析データに採用すればよい。しかし、部品３の点検履歴データの場合、補修済みフラグが記録されてはいるものの、本来の補修基準に従えば補修していなかった部品である可能性がある。このような場合、部品３のm0点検結果の点検データをワイブル分析に用いるのは妥当ではない。そのため、部品３の点検履歴データについては、どの時点の点検データを分析データとして採用するのかを判断しなければならない。
【００１８】
そこで、分析データ選択装置１０は、点検履歴データ上のどの時点の点検データを分析データとして採用すべきかを選択する。また、分析データ選択装置１０は、分析データとして採用する点検データを故障データとして採用するのか未故障データとして採用するのかを判定する。
【００１９】
（構成）
この分析データ選択装置１０の構成を、図２を用いて説明する。分析データ選択装置１０は、入出力部１１と、記憶部１２と、制御部１３とを備える。入出力部１１は、各種データの入出力を司る。例えば、入出力部１１は、点検履歴データの入力を受け付けたり、上記の信頼性分析の結果を出力したりする。
【００２０】
記憶部１２は、制御部１３が動作するための各種データを記憶する。記憶部１２は、上記の点検履歴データ、設備情報、地理情報、分析用各種設定情報等を記憶する。
【００２１】
点検履歴データは、前記したとおり、部品ごとに、当該部品の点検日時および当該点検日時における点検結果（劣化状態）を示す点検データと、当該部品の補修日時を示した補修データとを含む。この点検履歴データは、部品の点検、補修が行われるたびに追加、蓄積される。
【００２２】
設備情報は、設備に用いられている部品の仕様や型番、当該設備における各部品の設置場所等を示した情報である。地理情報は、設備の設置エリアや設備の周辺の地理情報を示した情報である。分析用各種設定情報は、分析データ選択部１３０（後記）が分析データを選択する際に参照される各種設定情報を示した情報である。
【００２３】
この分析用各種設定情報は、例えば、急速劣化判定条件や確率設定条件を含む。急速劣化判定条件は、分析データ選択部１３０が部品に急速劣化が発生したか否かを判定する際に参照される情報である。この急速劣化判定条件は、例えば、部品の過去の点検結果の統計情報に基づき、部品や設備に急速劣化が発生した、または、発生する可能性がある条件（例えば、部品の設置場所、設備の設置エリア、部品の仕様や型番等）を示した情報である。
【００２４】
また、確率設定条件は、分析データ選択部１３０が設備内で急速劣化が発生した部品を確率やランダム値で特定する際に参照される情報である。例えば、確率設定条件は、分析データ選択部１３０が適用する確率分布やランダム値の出力方法、また、どのような設備や部品に対して確率分布やランダム値を適用して急速劣化が発生した部品を特定するのか等を示した情報である。
【００２５】
これらの記憶部１２の情報は、新しい情報があれば追加で蓄積され、あるいは更新されるものとする。
【００２６】
制御部１３は、分析データ選択装置１０全体の制御を司る。この制御部１３は、分析データ選択部１３０と、信頼性分析部１３６と、分析結果記録部１３７と、表示部１３８とを備える。
【００２７】
分析データ選択部１３０は、点検履歴データから、信頼性分析部１３６での信頼性分析の対象とする分析データを選択する。つまり、分析データ選択部１３０は、点検履歴データのうち、どの点検日時の点検データを信頼性分析における分析データとして採用するかを決定する。また、分析データ選択部１３０は、当該点検データを分析データとして採用する場合、故障データとして採用するか、未故障データとして採用するかについて判定する。分析データ選択部１３０の詳細は後記する。
【００２８】
信頼性分析部１３６は、分析データ選択部１３０により分析データとして採用された点検データ（故障データおよび未故障データ）を用いて信頼性分析を行う。ここでの信頼性分析は、例えば、前記したワイブル分析により行われる。
【００２９】
分析結果記録部１３７は、信頼性分析部１３６による信頼性分析の結果を記憶部１２に記録する。なお、分析結果記録部１３７は、上記の信頼性分析の結果に、信頼性分析の過程に関する情報も併せて記録してもよい。
【００３０】
表示部１３８は、上記の信頼性分析の結果や分析の過程等を、入出力部１１経由で表示装置（図示省略）に表示する。
【００３１】
分析データ選択部１３０を詳細に説明する。分析データ選択部１３０は、点検結果判定部１３１と、急速劣化判定部１３２と、分析データ選択処理部１３５とを備える。
【００３２】
点検結果判定部１３１は、点検履歴データを参照して、分析データの候補となる部品の点検データに補修済みフラグが記録されているか否かを判定する。また、点検結果判定部１３１は、当該点検データに補修済みフラグが記録されている場合、部品の点検結果が補修基準に達しているか否かを判定する。
【００３３】
急速劣化判定部１３２は、点検履歴データを参照して、部品に急速劣化が発生したか否かを判定する。この急速劣化判定部１３２は、急速劣化判定処理部１３３と、確率設定部１３４とを備える。
【００３４】
急速劣化判定処理部１３３は、分析用各種設定情報における急速劣化判定条件と、点検履歴データとを参照して、部品に急速劣化が発生したか否かを判定する。例えば、急速劣化判定処理部１３３は、分析用各種設定情報における急速劣化判定条件と、点検履歴データとを参照して、部品の補修の直前の点検の後に当該設備に急速劣化が発生したか否かを判定する。また、急速劣化判定処理部１３３は、部品に急速劣化が発生したか否かを判定することができない場合、所定の確率分布またはランダム値を用いることにより当該部品に急速劣化が発生したか否かを判定する。
【００３５】
例えば、急速劣化判定処理部１３３は、急速劣化判定条件、設備情報、地理情報等から、当該部品を含む設備のいずれかの部品に急速劣化が発生した可能性があると判定したが、急速劣化が発生した部品を特定できない場合、確率設定部１３４により設定された所定の確率分布またはランダム値を用いて当該設備において急速劣化が発生した部品を特定する。そして、急速劣化判定処理部１３３は、当該設備の部品のうち、当該特定した部品については急速劣化が発生したと判定し、当該特定した部品以外の部品については、急速劣化は発生しなかったと判定する。
【００３６】
確率設定部１３４は、分析用各種設定情報における確率設定条件に基づき、急速劣化判定処理部１３３で用いる確率分布やランダム値の出力方法等の設定を行う。
【００３７】
分析データ選択処理部１３５は、点検結果判定部１３１による判定結果および急速劣化判定部１３２による判定結果に基づき、点検履歴データのうち、どの点検日時の点検データを信頼性分析における分析データとして採用するかを選択する。また、分析データ選択処理部１３５は、当該点検データを分析データとして採用する場合、故障データとして採用するか、未故障データとして採用するかを決定する。
【００３８】
例えば、点検結果判定部１３１により部品の補修の直前の点検結果が所定の補修基準に達していると判定された場合、分析データ選択処理部１３５は、当該補修の直前における当該部品の点検データを故障データとして分析データに採用する。また、点検結果判定部１３１により部品の補修の直前の点検結果が所定の補修基準に達していないと判定された場合において、急速劣化判定部１３２により当該部品の補修の直前に急速劣化が発生したと判定されたとき、分析データ選択処理部１３５は、当該部品の点検データを故障データとして分析データに採用する。一方、急速劣化判定部１３２により当該部品の補修の直前に急速劣化が発生していないと判定されたとき、分析データ選択処理部１３５は、当該部品の点検データを未故障データとして分析データに採用する。この分析データ選択処理部１３５の詳細はフローチャートを用いて後記する。
【００３９】
なお、分析データ選択処理部１３５は、分析データの決定結果（分析データとして採用した点検データおよび当該点検データが故障データか未故障データか）を記憶部１２の所定領域に記憶する。そして、この分析データの決定結果は、信頼性分析部１３６による信頼性分析に用いられる。なお、この分析データの決定結果に、分析データ選択処理部１３５が当該分析データを採用するまでの過程を示すデータも含めてもよい。
【００４０】
（処理手順）
次に、図３を用いて、分析データ選択装置１０が点検履歴データから、信頼性分析の対象とする分析データを選択する手順を説明する。
【００４１】
まず、分析データ選択装置１０の点検結果判定部１３１は、信頼性分析の対象とする分析データの候補となる部品の点検履歴データを取得すると、この点検履歴データに補修済みフラグがあるか否かを判定する（Ｓ１０１）。
【００４２】
Ｓ１０１で、補修済みフラグがない場合（Ｓ１０１でＮｏ）、点検結果判定部１３１は、点検履歴データにおける最新点検結果であるm0点検データが補修基準に達しているか（例えば、前記したＤランクか）否かを判定する（Ｓ１０２）。ここで、補修基準に達していれば（Ｓ１０２でＹｅｓ）、分析データ選択処理部１３５は、当該部品のm0点検データを故障データとして分析データに採用する（Ｓ１０３）。一方、補修基準に達していない場合（Ｓ１０２でＮｏ）、分析データ選択処理部１３５は、当該部品のm0点検データを未故障データとして分析データに採用する（Ｓ１０４）。
【００４３】
また、Ｓ１０１で補修済みフラグがある場合（Ｓ１０１でＹｅｓ）、点検結果判定部１３１は、最新の補修済みフラグの直前の点検データの示す点検結果が補修基準に達しているか否かを判定する（Ｓ１０５）。ここで最新の補修済みフラグの直前の点検データの示す点検結果が補修基準に達している場合（Ｓ１０５でＹｅｓ）、当該点検データを故障データとして分析データに採用する（Ｓ１０６）。
【００４４】
また、Ｓ１０５で最新の補修済みフラグの直前の点検データの示す点検結果が補修基準に達していない場合（Ｓ１０５でＮｏ）、分析データ選択処理部１３５は、分析データの採用の判断にあたり、部品の急速劣化を考慮するか否かを判定する（Ｓ１０７）。ここでの判定は、記憶部１２の分析用各種設定情報に、分析データの採用の判断にあたり部品の急速劣化を考慮する旨の設定があるか否かにより行われる。Ｓ１０７で、分析データ選択処理部１３５が、分析データの採用の判断にあたり、部品の急速劣化を考慮しないと判定した場合（Ｓ１０７でＮｏ）、分析データ選択処理部１３５は、最新の補修済みフラグの直前の点検データを未故障データとして分析データに採用する（Ｓ１１４）。
【００４５】
一方、分析データ選択処理部１３５が、分析データの採用の判断にあたり、部品の急速劣化を考慮すると判定した場合（Ｓ１０７でＹｅｓ）、急速劣化判定処理部１３３は、当該部品を含む設備に急速劣化が発生した可能性があるか否かを判定する（Ｓ１０８）。例えば、急速劣化判定処理部１３３は、分析用各種設定情報における急速劣化判定条件を参照して、当該部品を含む設備に急速劣化が発生した可能性があるか否かを判定する。
【００４６】
そして、急速劣化判定処理部１３３が、当該部品を含む設備に急速劣化が発生した可能性があると判定した場合（Ｓ１０８でＹｅｓ）、急速劣化判定処理部１３３は、分析用各種設定情報における急速劣化判定条件を参照して、当該設備において急速劣化する部品を特定できるか否かを判定する（Ｓ１０９）。一方、急速劣化判定処理部１３３が、当該部品を含む設備に急速劣化が発生した可能性はないと判定した場合（Ｓ１０８でＮｏ）、分析データ選択処理部１３５は、最新の補修済みフラグの直前の点検データを未故障データとして分析データに採用する（Ｓ１１４）。
【００４７】
Ｓ１０９で、急速劣化判定処理部１３３が、当該設備において急速劣化する部品を特定できると判定した場合（Ｓ１０９でＹｅｓ）、急速劣化判定処理部１３３は、当該設備において急速劣化する部品を特定し、分析データ選択処理部１３５は、当該特定した部品が最新の補修済みフラグの記録日時をもって故障したものと見なし、故障データとして採用する（Ｓ１１３）。
【００４８】
一方、急速劣化判定処理部１３３が、当該設備において急速劣化する部品を特定できないと判定した場合（Ｓ１０９でＮｏ）、所定の確率分布またはランダム値によって急速劣化が発生した部品を特定するか否かを判定する（Ｓ１１０）。
【００４９】
例えば、急速劣化判定処理部１３３は、Ｓ１１０において、分析用各種設定情報の確率設定条件および設備情報を参照して、当該設備について、所定の確率分布またはランダム値を適用して急速劣化が発生した部品を特定するか否かを判定する。
【００５０】
ここで、急速劣化判定処理部１３３が、所定の確率分布またはランダム値によって急速劣化が発生した部品を特定すると判定した場合（Ｓ１１０でＹｅｓ）、急速劣化判定処理部１３３は、確率設定部１３４により設定された、所定の確率分布またはランダム値によって急速劣化が発生した部品を特定する（Ｓ１１１）。ここで、分析データ選択処理部１３５で現在処理対象としている部品が、Ｓ１１１において急速劣化が発生した部品として特定された場合（Ｓ１１２でＹｅｓ）、分析データ選択処理部１３５は、当該特定した部品が最新の補修済みフラグの記録日時をもって故障したものと見なし、故障データとして採用する（Ｓ１１３）。
【００５１】
一方、Ｓ１１２において、分析データ選択処理部１３５で現在処理対象としている部品が、急速劣化が発生した部品として特定されなかった場合（Ｓ１１２でＮｏ）、分析データ選択処理部１３５は、最新の補修済みフラグの直前の点検データを未故障データとして分析データに採用する（Ｓ１１４）。
【００５２】
また、Ｓ１１０において、急速劣化判定処理部１３３が、所定の確率分布またはランダム値により当該設備において急速劣化が発生した部品を特定しないと判定した場合も（Ｓ１１０でＮｏ）、分析データ選択処理部１３５は、最新の補修済みフラグの直前の点検データを未故障データとして分析データに採用する（Ｓ１１４）。
【００５３】
分析データ選択装置１０が上記の処理を行うことで、部品の点検履歴データ上のどの時点の点検データを分析データとして採用すべきか、また、分析データとして採用する点検データについて故障データとして採用すべきか未故障データとして採用すべきかを精度よく判定することができる。その結果、分析データ選択装置１０は、設備の信頼性分析において、単に最新点検結果（m0点検データ）を用いるよりも、設備の故障発生確率等の計算精度を向上させることができる。
【００５４】
（その他の実施形態）
なお、図３のＳ１０７、Ｓ１０８、Ｓ１０９、Ｓ１１０における判定は、分析データ選択装置１０のオペレータが判定してもよい。また、上記の点検履歴データは、部品の点検履歴データとしたが、設備の点検履歴データであってもよい。
【００５５】
（プログラム）
また、各実施形態で述べた分析データ選択装置１０の機能を実現するプログラムを所望の情報処理装置（コンピュータ）にインストールすることによって実装できる。例えば、パッケージソフトウェアやオンラインソフトウェアとして提供される上記のプログラムを情報処理装置に実行させることにより、情報処理装置を分析データ選択装置１０として機能させることができる。ここで言う情報処理装置には、デスクトップ型またはノート型のパーソナルコンピュータが含まれる。また、その他にも、情報処理装置にはスマートフォン、携帯電話機やＰＨＳ（Personal  Handyphone  System）等の移動体通信端末、さらには、ＰＤＡ（Personal  Digital  Assistants）等のストレート端末等がその範疇に含まれる。また、分析データ選択装置１０を、Ｗｅｂサーバやクラウドとして実装してもよい。
【００５６】
以下に、分析データ選択プログラムを実行するコンピュータの一例を説明する。図４に示すように、コンピュータ１０００は、例えば、メモリ１０１０と、ＣＰＵ（Central  Processing  Unit）１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。
【００５７】
メモリ１０１０は、ＲＯＭ（Read  Only  Memory）１０１１およびＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１１００に接続される。ディスクドライブ１１００には、例えば、磁気ディスクや光ディスク等の着脱可能な記憶媒体が挿入される。シリアルポートインタフェース１０５０には、例えば、マウス１１１０およびキーボード１１２０が接続される。ビデオアダプタ１０６０には、例えば、ディスプレイ１１３０が接続される。
【００５８】
ここで、図４に示すように、ハードディスクドライブ１０９０は、例えば、ＯＳ１０９１、アプリケーションプログラム１０９２、プログラムモジュール１０９３およびプログラムデータ１０９４を記憶する。前記した実施形態で説明した各種データは、例えばハードディスクドライブ１０９０やメモリ１０１０に記憶される。
【００５９】
そして、ＣＰＵ１０２０が、ハードディスクドライブ１０９０に記憶されたプログラムモジュール１０９３やプログラムデータ１０９４を必要に応じてＲＡＭ１０１２に読み出して、上述した各手順を実行する。
【００６０】
なお、分析データ選択プログラムに係るプログラムモジュール１０９３やプログラムデータ１０９４は、ハードディスクドライブ１０９０に記憶される場合に限られず、例えば、着脱可能な記憶媒体に記憶されて、ディスクドライブ１１００等を介してＣＰＵ１０２０によって読み出されてもよい。あるいは、分析データ選択プログラムに係るプログラムモジュール１０９３やプログラムデータ１０９４は、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【符号の説明】
【００６１】
１０    分析データ選択装置
１１    入出力部
１２    記憶部
１３    制御部
１３０  分析データ選択部
１３１  点検結果判定部
１３２  急速劣化判定部
１３３  急速劣化判定処理部
１３４  確率設定部
１３５  分析データ選択処理部
１３６  信頼性分析部
１３７  分析結果記録部
１３８  表示部
【図１】
0006633418.tif 000002
【図２】
0006633418.tif 000003
【図３】
0006633418.tif 000004
【図４】
0006633418.tif 000005